【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
スピーカの磁石構造体であって、
該磁石構造体は、
第１の平面表面と第２の平面表面とを有する磁心構造体を備えるデュアルポールと、
該第１の平面表面に連結された第１の磁石と、
該第２の平面表面に連結された第２の磁石と
を備え、
該第１および第２の磁石は、該第１の磁石の極性が、該第２の磁石の極性と同一方向に整列されるように位置付けられる、磁石構造体。
【請求項２】
前記第２の平面表面は、前記第１の平面表面の実質的に反対にあって、該第１および第２の平面表面は、前記磁心構造体から離れるように実質的に垂直に延びるフランジを形成する、請求項１に記載の磁石構造体。
【請求項３】
前記第１および第２の磁石は、実質的に環状形状を有し、前記デュアルポールと、該第１の磁石と、該第２の磁石とは、前記磁石構造体の中心軸を中心として実質的に同心状である、請求項１に記載の磁石構造体。
【請求項４】
前記第１の磁石に連結された第１の前面プレートと、
該第１の前面プレートと前記デュアルポールとの間に形成された第１の空隙と、
前記第２の磁石に連結された第２の前面プレートと、
該第２の前面プレートと該デュアルポールとの間に形成された第２の空隙と
をさらに備え、
該第１および第２の前面プレートは、前記第１および第２の磁石の磁束を実質的に該第１および第２の空隙内に結合、指向、ならびに集束させるように位置付けられる、請求項１に記載の磁石構造体。
【請求項５】
前記第１および第２の前面プレートは、実質的に環状形状を有し、前記磁石構造体の中心軸を中心として実質的に同心状である、請求項４に記載の磁石構造体。
【請求項６】
前記第１の磁石に連結され、外側部分と比較してより厚い内側部分を伴う、階段状形状を備えている、第１の前面プレートと、
前記第２の磁石に連結され、部分的楔形状を備えている、第２の前面プレートと
をさらに備え、該第１および第２の磁石は、前記デュアルポールの前記第１および第２の平面表面を越えて、横方向に延びる、請求項１に記載の磁石構造体。
【請求項７】
磁心は、前記磁心構造体の内側表面内に形成されたオリフィスを備え、該オリフィスは、前記スピーカ内の磁石構造体の支持を可能にするように適合されている、請求項１に記載の磁石構造体。
【請求項８】
スピーカの磁石構造体であって、
該磁石構造体は、
第１の極性と、第１の磁束とを有する第１の磁石と、
該第１の極性と同一方向に整列された第２の極性と、第２の磁束とを有する第２の磁石と、
該第１および第２の磁石に連結され、フランジを有する磁心構造体を備えているデュアルポールと
を備え、結合された磁束は、実質的に該デュアルポール内を流れ、該第１の磁束と該第２の磁束とを備えている、磁石構造体。
【請求項９】
前記第１および第２の磁石は、前記フランジに連結され、前記結合された磁束が、実質的に前記磁心構造体および該フランジ内を流れるように位置付けられ、該フランジは、磁心から離れるように実質的に垂直に延びている、請求項８に記載の磁石構造体。
【請求項１０】
前記第１および第２の磁石は、実質的に環状形状を有し、前記デュアルポールと該第１の磁石と前記第２の磁石とは、前記磁石構造体の中心軸を中心として実質的に同心状である、請求項８に記載の磁石構造体。
【請求項１１】
前記第１の磁石に連結された第１の前面プレートと、
該第１の前面プレートと前記デュアルポールとの間に形成された第１の空隙と、
前記第２の磁石に連結された第２の前面プレートと、
該第２の前面プレートと該デュアルポールとの間に形成された第２の空隙と
をさらに備え、該第１および第２の前面プレートは、前記結合された磁束を実質的に該第１および第２の空隙内に指向ならびに集束させるように位置付けられている、請求項８に記載の磁石構造体。
【請求項１２】
前記第１および第２の前面プレートは、実質的に環状形状を有し、前記磁石構造の中心軸を中心として実質的に同心状である、請求項１１に記載の磁石構造体。
【請求項１３】
前記第１の磁石に連結され、外側部分と比較してより厚い内側部分を伴う階段状形状を備えている第１の前面プレートと、
前記第２の磁石に連結され、部分的楔形状を備えている第２の前面プレートと
をさらに備え、該第１および第２の磁石は、前記デュアルポールの前記第１および第２の平面表面を越えて、横方向に延びる、請求項８に記載の磁石構造体。
【請求項１４】
磁心は、前記磁心構造体の内側表面内に形成されたオリフィスを備え、該オリフィスは、前記スピーカ内の磁石構造体の支持を可能にするように適合されている、請求項８に記載の磁石構造体。
【請求項１５】
スピーカの磁石構造体を製造する方法であって、
デュアルポールを提供することであって、該デュアルポールは、第１の平面表面と第２の平面表面とを有する磁心構造体を備える、ことと、
第１の磁性材料を該第１の平面表面に、第２の磁性材料を該第２の平面表面に連結することと、
該第１および第２の磁性材料が、未だ磁化されていない場合、該第１の磁性材料の極性が、該第２の磁性材料の極性と同一方向に整列されるように、該第１および第２の磁性材料を磁化することと
を包含する、方法。
【請求項１６】
前記磁心構造体から離れるように垂直に延びるフランジを形成することをさらに包含し、該フランジは、前記第１および第２の平面表面から形成される、請求項１５に記載の方法。
【請求項１７】
前記デュアルポールと、前記第１の磁性材料と、前記第２の磁性材料とを、前記磁石構造体の中心軸を中心として実質的に同心状に位置付けるステップをさらに包含し、該第１および第２の磁性材料は、実質的に環状形状を有する、請求項１５に記載の方法。
【請求項１８】
第１の前面プレートを前記第１の磁性材料に連結することと、
該第１の前面プレートと前記デュアルポールとの間に第１の空隙を形成することと、
第２の前面プレートを前記第２の磁性材料に連結することと、
該第２の前面プレートと該デュアルポールとの間に第２の空隙を形成することと
をさらに包含し、該第１および第２の前面プレートは、該第１および第２の磁石の磁性材料を該第１および第２の空隙内に結合、指向、ならびに集束させるように位置付けられる、請求項１５に記載の方法。
【請求項１９】
前記第１および第２の前面プレートを前記磁石構造の中心軸を中心として実質的に同心状に位置付けるステップをさらに包含し、該第１および第２の前面プレートは、実質的に環状形状を有する、請求項１８に記載の方法。
【請求項２０】
前記磁心構造体の内側表面内にオリフィスを形成することをさらに包含し、該オリフィスは、前記スピーカ内の磁石構造体の支持を可能にするように適合されている、請求項１５に記載の方法。
【手続補正２】
【補正対象書類名】明細書
【補正対象項目名】０００５
【補正方法】変更
【補正の内容】
【０００５】
他のシステム、方法、特徴、および利点は、以下の図面および詳細な説明を検討することによって、当業者に明白であり、または明白となるであろう。あらゆるそのような追加システム、方法、特徴、および利点は、本記述内に含まれ、本発明の範囲内であって、以下の請求項によって保護されることが意図される。
例えば、本発明は以下の項目を提供する。
（項目１）
磁石構造を有するスピーカであって、
該磁石構造は、
磁心と、第１の平面表面と、第２の平面表面とを備える、デュアルポールと、
該第１の平面表面に連結された第１の磁石と、
該第２の平面表面連結された第２の磁石と
を備え、
該第１および第２の磁石は、該第１の磁石の極性が、該第２の磁石の極性と同一方向に整列されるように位置付けられる、スピーカ。
（項目２）
上記第２の平面表面は、上記第１の平面表面の実質的に反対にあって、該第１および第２の平面表面は、上記磁心から離れるように実質的に垂直に延びるフランジを形成する、項目１に記載の磁石構造。
（項目３）
上記第１および第２の磁石は、実質的に環状形状を有し、上記デュアルポールと、該第１の磁石と、該第２の磁石は、上記磁石構造の中心軸を中心として実質的に同心状である、項目１に記載の磁石構造。
（項目４）
上記第１の磁石に連結された第１の前面プレートと、
該第１の前面プレートと上記デュアルポールとの間に形成された第１の空隙と、
上記第２の磁石に連結された第２の前面プレートと、
該第２の前面プレートと該デュアルポールとの間に形成された第２の空隙と
をさらに備え、
該第１および第２の前面プレートは、上記第１および第２の磁石の磁束を実質的に該第１および第２の空隙内に結合、指向、ならびに集束させるように位置付けられる、項目１に記載の磁石構造。
（項目５）
上記第１および第２の前面プレートは、実質的に環状形状を有し、上記磁石構造の中心軸を中心として実質的に同心状である、項目４に記載の磁石構造。
（項目６）
上記第１の磁石に連結され、外側部分と比較してより厚い内側部分を伴う、階段状形状を備えている、第１の前面プレートと、
上記第２の磁石に連結され、部分的楔形状を備えている、第２の前面プレートと
をさらに備え、該第１および第２の磁石は、上記デュアルポールの上記第１および第２の平面表面を越えて、横方向に延びる、項目１に記載の磁石構造。
（項目７）
上記磁心は、該磁心の内側表面内に形成されたオリフィスを備え、該オリフィスは、上記スピーカ内の磁石構造の支持を可能にするように適合されている、項目１に記載の磁石構造。
（項目８）
磁石構造を有するスピーカであって、
該磁石構造は、
第１の極性と、第１の磁束とを有する第１の磁石と、
該第１の極性と同一方向に整列された第２の極性と、第２の磁束とを有する第２の磁石と、
該第１および第２の磁石に連結され、磁心を備えているデュアルポールと
を備え、結合された磁束は、実質的に該デュアルポール内を流れ、該第１の磁束と該第２の磁束とを備えている、スピーカ。
（項目９）
上記デュアルポールは、フランジをさらに備え、上記第１および第２の磁石は、該フランジに連結され、上記結合された磁束が、実質的に上記磁心および該フランジ内を流れるように位置付けられ、該フランジは、該磁心から離れるように実質的に垂直に延びている、項目８に記載の磁石構造。
（項目１０）
上記第１および第２の磁石は、実質的に環状形状を有し、上記デュアルポールと該第１の磁石と上記第２の磁石とは、上記磁石構造の中心軸を中心として実質的に同心状である、項目８に記載の磁石構造。
（項目１１）
上記第１の磁石に連結された第１の前面プレートと、
該第１の前面プレートと上記デュアルポールとの間に形成された第１の空隙と、
上記第２の磁石に連結された第２の前面プレートと、
該第２の前面プレートと該デュアルポールとの間に形成された第２の空隙と
をさらに備え、該第１および第２の前面プレートは、上記結合された磁束を実質的に該第１および第２の空隙内に指向ならびに集束させるように位置付けられている、項目８に記載の磁石構造
（項目１２）
上記第１および第２の前面プレートは、実質的に環状形状を有し、上記磁石構造の中心軸を中心として実質的に同心状である、項目１１に記載の磁石構造。
（項目１３）
上記第１の磁石に連結され、外側部分と比較してより厚い内側部分を伴う階段状形状を備えている第１の前面プレートと、
上記第２の磁石に連結され、部分的楔形状を備えている第２の前面プレートと
をさらに備え、該第１および第２の磁石は、上記デュアルポールの上記第１および第２の平面表面を越えて、横方向に延びる、項目８に記載の磁石構造。
（項目１４）
上記磁心は、該磁心の内側表面内に形成されたオリフィスを備え、該オリフィスは、上記スピーカ内の磁石構造の支持を可能にするように適合されている、項目８に記載の磁石構造。
（項目１５）
スピーカの磁石構造を製造する方法であって、
磁心と、第１の平面表面と、第２の平面表面とを備える、デュアルポールを提供するステップと、
第１の磁性材料を該第１の平面表面に、第２の磁性材料を該第２の平面表面に連結するステップと、
該第１および第２の磁性材料が、未だ磁化されていない場合、該第１の磁性材料の極性が、該第２の磁性材料の極性と同一方向に整列されるように、該第１および第２の磁性材料を磁化するステップと
を包含する、方法。
（項目１６）
上記磁心から離れるように垂直に延びるフランジを形成するステップをさらに包含し、該フランジは、上記第１および第２の平面表面から形成される、項目１５に記載の方法。
（項目１７）
上記デュアルポールと、上記第１の磁性材料と、上記第２の磁性材料とを、上記磁石構造の中心軸を中心として実質的に同心状に位置付けるステップをさらに備え、該第１および第２の磁性材料は、実質的に環状形状を有する、項目１５に記載の方法。
（項目１８）
第１の前面プレートを上記第１の磁性材料に連結するステップと、
該第１の前面プレートと上記デュアルポールとの間に第１の空隙を形成するステップと、
第２の前面プレートを上記第２の磁性材料に連結するステップと、
該第２の前面プレートと該デュアルポールとの間に第２の空隙を形成するステップと
をさらに包含し、該第１および第２の前面プレートは、該第１および第２の磁石の磁性材料を該第１および第２の空隙内に結合、指向、ならびに集束させるように位置付けられる、項目１５に記載の方法。
（項目１９）
上記第１および第２の前面プレートを上記磁石構造の中心軸を中心として実質的に同心状に位置付けるステップをさらに備え、該第１および第２の前面プレートは、実質的に環状形状を有する、項目１８に記載の方法。
（項目２０）
上記磁心の内側表面内にオリフィルを形成するステップをさらに備え、該オリフィスは、上記スピーカ内の磁石構造の支持を可能にするように適合されている、項目１５に記載の方法。